(57)【要約】【課題】瓶口に対して閉栓した王冠を手で開栓することができるようにし、栓抜きを必要とすることなく内容物を飲用できる容器の封緘具を提供する。【解決手段】天板２の周囲に絞り加工用のスカート３を設けた王冠１において、上記王冠１の天板２に、一部切り離しの環状となるスリット４で囲まれ部分と、このスリット４で囲まれた部分に設けた指かけ凹部５とで形成されタブ６を引き起し可能に形成し、上記王冠１の天板２とスカート３に、スリット４の両端の位置からスカート３の端縁に達するスコア７が設けてある。【選択図】　図１
2004010073.tif 000002
【特許請求の範囲】
【請求項１】
封緘具が、天板の周囲に絞り加工用のスカートを設けた王冠であり、この王冠の天板にタブを引き起し可能に形成し、上記王冠の天板とスカートに、タブの両側の位置からスカートの端縁に達するスコアを設けた容器の封緘具。
【請求項２】
封緘具が、天板の周囲に環状の周壁を設けた金属製のキャップであり、このキャップの天板にタブを引き起し可能に形成し、上記キャップの天板と周壁に、タブの両側の位置から周壁の端縁に達するスコアを設けた容器の封緘具。
【請求項３】
前記タブは、天板に施した一部切り離しの環状となるスリットで囲まれた部分と、このスリットで囲まれた部分に設けた指かけ凹部とで形成され、前記スコアは、上記スリットの端部からスカート又は周壁の端縁に達するように設けられている請求項１又は２に記載の容器の封緘具。
【請求項４】
前記タブは、天板に施した一部切り離しの環状となるスリットで囲まれた部分と、このスリットで囲まれた部分の内側に設けた指かけ孔とで形成され、前記スコアは、上記スリットの端部からスカート又は周壁の端縁に達するように設けられている請求項１又は２に記載の容器の封緘具。
【発明の詳細な説明】
【０００１】
【発明の属する技術分野】
この発明は、各種液体を充填した容器の口部を密閉する封緘具、更に詳しくは、栓抜きを必要とすることなく、手で簡単に開栓できるようにした容器の封緘具に関する。
【０００２】
【従来の技術】
例えば、ビール瓶等の瓶容器の口部の閉栓に多く使用されている王冠は、瓶口に強く締め付けて閉栓することで、密封性が高く高速生産性があり、飲用時の飲み口を清潔に保ち、更に、滑らかな丸みを帯びた飲み口に対する閉栓が可能であるという利点がある。
【０００３】
また、飲用物の容器における口部を密閉するための封緘手段として、天板の周囲に環状の周壁を設け、この周壁の下縁における一か所に開封用のリンプルを突設し、容器の口部に嵌着した状態で周壁を容器の周囲に巻き締めるようにしたアルミキャップも採用されている。
【０００４】
【発明が解決しようとする課題】
ところで、従来の王冠は、瓶口に対して、周囲のスカート部分を瓶口の周囲に巻き閉めて固定されているので、開栓時に必ず栓抜きが必要になり、栓抜きがないと内容物を飲用することができないという不便がある。
【０００５】
また、従来のアルミキャップは、周壁に設けたリンプルが下方に突出することになり、このため、アルミキャップを覆うようにして容器に替栓やオーバキャップを取り付けようとしても、リンプルを逃がすために容器の構造に工夫が必要になり、リンプルが邪魔になる分だけ容器や替栓、オーバキャップの寸法が長くなる。
【０００６】
さらに、容器の外周をシュリンクフィルムで覆う場合、リンプルの部分が飛び出すことになり、シュリンクフィルムによる包装の仕上がり形態が悪くなるという問題がある。
【０００７】
そこで、この発明は、瓶口に対して閉栓した封緘具を天板の部分で開栓することができるようにし、栓抜きを必要とすることなく開栓して内容物を飲用できるだけでなく、アルミキャップにおいては、リンプルに起因する問題点を解決することができる封緘具を提供することを課題とする。
【０００８】
【課題を解決するための手段】
上記のような課題を解決するため、この発明は、封緘具が、天板の周囲に絞り加工用のスカートを設けた王冠であり、この王冠の天板にタブを引き起し可能に形成し、上記王冠の天板とスカートに、タブの両側の位置からスカートの端縁に達するスコアを設けた構成を採用したものである。
【０００９】
また、封緘具が、天板の周囲に環状の周壁を設けた金属製のキャップであり、このキャップの天板にタブを引き起し可能に形成し、上記キャップの天板と周壁に、タブの両側の位置から周壁の端縁に達するスコアを設けた構成を採用したものである。
【００１０】
上記タブは、天板に施した一部切り離しの環状となるスリットで囲まれ部分と、このスリットで囲まれた部分に設けた指かけ凹部とで形成され、前記スコアは、上記スリットの端部からスカート又は周壁の端縁に達するように設けられている構造とすることができる。
【００１１】
また、上記タブは、天板に施した一部切り離しの環状となるスリットで囲まれ部分と、このスリットで囲まれた部分の内側に設けた指かけ孔とで形成され、前記スコアは、上記スリットの端部からスカート又は周壁の端縁に達するように設けられている構造としてもよい、
【００１２】
上記封緘具で瓶口を閉栓した状態で開栓するには、指かけ凹部又は指かけ孔に指先をかけて天板からスリットで囲まれたタブを引き起し、このタブをスコアの方向に引っ張ればよく、両側のスコアが引き裂かれ、封緘具からタブと両側スコア間の部分が離脱し、封緘具の残った部分は瓶口から簡単に取り外すことができる。
【００１３】
このように、封緘具の天板に直接タブを形成すると、開封手段として別の材料を用いる必要がなく、コスト的に有利となると共に、封緘具の下縁からの突出物がなくなることで、キャップの下縁に突設したリンプルに起因する問題点を解決することができる。
【００１４】
【発明の実施形態】
以下、この発明の実施形態を図示例と共に説明する。
【００１５】
図１と図２は、封緘具の第１の実施の形態として王冠１を示し、王冠１は材料に金属板を用い、円形の天板２とその周囲に環状のスカート３を設けて形成され、ビール瓶等の瓶容器Ａの瓶口に嵌合した状態で、スカート３を絞り加工することにより、瓶口を閉栓するようになっている。
【００１６】
上記王冠１の天板２には、天板２に施した一部切り離しの環状となるスリット４で囲まれた部分と、この環状スリット４で囲まれた部分に設けた指かけ凹部５とで形成されたタブ６が設けられている。
【００１７】
この一部切り離しの環状となるスリット４は、横長円形となるタブ６の外形となり、タブ６の平面的な大きさは、天板２の平面形状の範囲で指先で摘める大きさに設定すると共に、指かけ凹部５はタブ６を天板２から引き起こすためのものであり、プレス加工によって天板２の一部を凹入させることにより、指先を引っかけ易いように形成されている。
【００１８】
このように、王冠１の天板２に直接タブ６を形成することにより、開封手段として別材料のリングタブを設ける場合に比べて材料コストの面で有利となる。
【００１９】
上記王冠１の天板２とスカート３には、スリット４の両端部からスカート３の端縁に達する二本のスコア７が並列状に設けられている。
【００２０】
図３と図４は、封緘具の第２の実施の形態として王冠１を示している。なお、上記第１の実施の形態と同一部分には同一符号を付して説明に代える。
【００２１】
この第２の実施の形態の王冠１は、天板２に直接設けたタブ６が、天板２に施した一部切り離しの環状となるスリット４で囲まれ部分と、この環状スリット４で囲まれた部分に設けた指かけ孔９とで形成され、前記スコア７は、上記スリット４の両端部からスカート３の端縁に達するように設けられている。
【００２２】
第１と第２の実施の形態の王冠１は、上記のような構成であり、王冠１における天板２の内面には、スリット４の形成に対して密閉性を向上させるために、合成樹脂等の薄いシート状や塗膜状のシール部材８を設けておく。
【００２３】
内容物の入った瓶容器Ａに対して上記王冠１を瓶口に嵌合し、周囲のスカート３を絞り加工することにより、瓶口を閉栓する。なお、第２の実施の形態の王冠１においては、天板４がタブ６に設けた指かけ孔９の形成によって開口状となるので、天板４の内面側に、タブ６と対応する部分が内側に凹入する裏当てプレート１０を重ねて配置するようにし、この裏当てプレート１０の内側にシール部材８を設けている。
【００２４】
この王冠１を取り除いて瓶容器Ａを開栓するには、指かけ凹部５又は指かけ孔９に指先をかけ、スリット４で囲まれたタブ６を天板２から引き起し、このタブ６を両スコア７の方向に引っ張ればよく、両側のスコア７はスリット４の端部からスカート３の端縁に向けて引き裂かれ、王冠１からタブ６と両側スコア７間の部分が離脱し、王冠１の残った部分は両側に押し広げることで、瓶口から手で簡単に取り外すことができ、このように、王冠１の開栓作業は手で行えることになり、開栓に栓抜きは不要になる。
【００２５】
図５（Ａ）乃至（Ｃ）は、封緘具の第３の実施の形態として瓶口に嵌着するアルミキャップを示し、このアルミキャップ１１は、天板１２の周囲に環状の周壁１３を設け、周壁１３の下端部内周に瓶口の外周小径部分に係合する突条１４が設けられている。
【００２６】
このアルミキャップ１１の天板１２には、上記第１又は第２の実施の形態で示したと同じ構造のタブ６が設けられ、スコア７は、スリット４の両端部から周壁１３の端縁に達している。
【００２７】
図５（Ａ）の第１の例は、替栓タイプのアルミキャップであり、アルミキャップ１１は、瓶口に嵌着した状態で周壁１３を絞り込むことによって瓶口に取り付け、瓶口の外周に設けた雄ねじ１５に内周の雌ねじ１６を螺合した替栓１７がアルミキャップ１１を覆っている。なお、アルミキャップ１１の天板１２の内面と瓶口の端部にパッキン１８を介在させて密閉性を高めている。
【００２８】
図５（Ｂ）の第２の例のアルミキャップは、オーバーキャップタイプであり、瓶口に取り付けたアルミキャップ１１の外面に、合成樹脂等からなるオーバーキャップ１９を弾力的に被せて取り付けるようにしたものである。
【００２９】
図５（Ｃ）の第３の例のアルミキャップは、シュリンクフィルムタイプに使用したものであり、瓶口にアルミキャップ１１を取り付け、瓶容器Ａの外周をシュリンクフィルム２０で覆うようにしている。このシュリンクフィルム２０の上端部は周壁１３に重ねることになるが、アルミキャップ１１の周壁１３は下方への突出部分がないので、シュリンクフィルム２０による包装の形態が美しく仕上がることになる。
【００３０】
上記第３の実施の形態のアルミキャップ１１は、替栓１７やオーバーキャップ１９を取り外した後、上述した第１又は第２の実施の形態の王冠１の場合と同様、タブ６を指先で引っ張ることにより速やかに開封することができる。
【００３１】
【発明の効果】
以上のように、この発明によると、瓶口に取り付ける封緘具の天板にタブを引き起し可能に形成し、上記封緘具の天板とスカート又は周壁に、タブの両側の位置からスカート又は周壁の端縁に達するスコアを設けたので、瓶口を閉栓する封緘具の開栓が手でタブを引き起して引っ張るだけで行えることになり、栓抜きを必要とすることなく内容物を飲用できるようになる。
【００３２】
また、タブを封緘具の天板に直接形成するようにすれば、別の材料が不要になり、コスト的に有利となる。
【００３３】
さらに、封緘具が天板の周囲に環状の周壁を設けたキャップの場合、このキャップの天板にタブを引き起し可能に形成することで、周壁の下縁から突出していたリンプルが不要になり、リンプルの分だけ容器や替栓の寸法を短くすることができ、さらに、容器の外周をシュリンクフィルムで覆う場合、リンプルが無いことでシュリンクフィルムによる包装の仕上がり形態が美しく仕上がる。
【図面の簡単な説明】
【図１】封緘具の第１の実施の形態である王冠を示す使用状態の斜視図
【図２】同上の拡大した縦断面図
【図３】封緘具の第２の実施の形態である王冠を示す使用状態の斜視図
【図４】同上の拡大した縦断面図
【図５】（Ａ）は封緘具の第３の実施の形態であるアルミキャップの第１の例を示す使用状態の縦断面図、（Ｂ）は同第２の例を示す使用状態の縦断面図、（Ｃ）は同第３の例を示す使用状態の縦断面図
【符号の説明】
１　　王冠
２　　天板
３　　スカート
４　　スリット
５　　指かけ凹部
６　　タブ
７　　スコア
８　　シール部材
９　　指かけ孔
１０　裏当てプレート
１１　アルミキャップ
１２　天板
１３　周壁
１４　突条
１５　雄ねじ
１６　雌ねじ
１７　替栓
１８　パッキン
１９　オーバーキャップ
２０　シュリンクフィルム
【図１】
2004010073.tif 000003
【図２】
2004010073.tif 000004
【図３】
2004010073.tif 000005
【図４】
2004010073.tif 000006
【図５】
2004010073.tif 000007